(57)【要約】      （修正有）【課題】蒸着材料を良好に加熱して好適な成膜を行うための技術を提供する。【解決手段】容器２４４は、加熱された蒸着材料が放出される開口部と、第１領域２４４ｂ１と、第１領域よりも開口部から離れた領域である第２領域２４４ｂ２とを有し、第１領域を加熱する第１ヒータと、第２領域を加熱する第２ヒータと、第１ヒータと第２ヒータをそれぞれ独立に制御する制御部とを有し、第２ヒータは第１部分と第２部分を含み、第２部分と第１ヒータの距離は第１部分と第１ヒータの距離よりも小さいものであり、制御部は、第２ヒータを制御するときに、第１部分と第２部分を一体に制御するものであり、容器２４４のうち第１部分に対向する領域に入射する熱量は、第２部分に対向する領域に入射する熱量よりも大きい加熱装置を用いる、蒸着材料を収容する容器を加熱する加熱装置。【選択図】図４
2020193367.tif 000002
【特許請求の範囲】
【請求項１】
蒸着材料を収容する容器を加熱する加熱装置であって、
前記容器は、加熱された前記蒸着材料が放出される開口部と、第１領域と、前記第１領域よりも前記開口部から離れた領域である第２領域と、を有し、
前記第１領域を加熱する第１ヒータと、
前記第２領域を加熱する第２ヒータと、
前記第１ヒータと前記第２ヒータをそれぞれ独立に制御する制御部と、
を有し、
前記第２ヒータは第１部分と第２部分を含み、前記第２部分と前記第１ヒータの距離は前記第１部分と前記第１ヒータの距離よりも小さいものであり、
前記制御部は、前記第２ヒータを制御するときに、前記第１部分と前記第２部分を一体に制御するものであり、
前記容器のうち前記第１部分に対向する領域に入射する熱量は、前記第２部分に対向する領域に入射する熱量よりも大きい
ことを特徴とする加熱装置。
【請求項２】
前記第１部分から放出される熱量は、前記第２部分から放出される熱量よりも大きい
ことを特徴とする請求項１に記載の加熱装置。
【請求項３】
前記第２ヒータは、前記制御部による電力の制御に応じて熱を放出するヒータ線を含んでおり、
前記第１部分には前記第２部分よりも高い密度で前記ヒータ線が配置されている
ことを特徴とする請求項１または２に記載の加熱装置。
【請求項４】
前記第１部分には、前記第２部分よりも密に前記ヒータ線が配置されている
ことを特徴とする請求項３に記載の加熱装置。
【請求項５】
前記第１部分における前記ヒータ線の巻き数は、前記第２部分における前記ヒータ線の巻き数よりも多い
ことを特徴とする請求項３に記載の加熱装置。
【請求項６】
前記第２ヒータは、前記制御部による電力の制御に応じて熱を放出するヒータ線を含んでおり、
前記第２部分における前記ヒータ線は、前記第１部分における前記ヒータ線よりも太いことを特徴とする請求項１または２に記載の加熱装置。
【請求項７】
前記第２ヒータは、前記制御部による電力の制御に応じて熱を放出するヒータ線を含んでおり、
前記第２部分における前記ヒータ線は、前記第１部分における前記ヒータ線よりも抵抗が低い
ことを特徴とする請求項１または２に記載の加熱装置。
【請求項８】
前記第２部分と前記容器の間に配置された、前記第２部分から前記容器に放出される熱を遮蔽する第１の内側熱反射部材をさらに有する
ことを特徴とする請求項１〜７のいずれか１項に記載の加熱装置。
【請求項９】
前記第１部分および第２部分と、前記容器の間に配置された第２の内側熱反射部材をさらに有する
ことを特徴とする請求項８に記載の加熱装置。
【請求項１０】
前記第１部分を介して前記容器と反対の側に配置された、前記第１部分から前記加熱装置の外側に放出される熱を反射する第１の外側熱反射部材をさらに有する
ことを特徴とする請求項１〜９のいずれか１項に記載の加熱装置。
【請求項１１】
前記第１部分および第２部分を介して、前記容器と反対の側に配置された、第２の外側熱反射部材をさらに有する
ことを特徴とする請求項１０に記載の加熱装置。
【請求項１２】
前記第１ヒータは、第３部分と第４部分を含み、前記第３部分は前記第４部分よりも前記開口部に近い側に配置されており、
前記容器のうち前記第３部分に対向する領域に入射する熱量は、前記第４部分に対向する領域に入射する熱量よりも大きい
ことを特徴とする請求項１〜１１のいずれか１項に記載の加熱装置。
【請求項１３】
前記制御部は、前記容器に収容された蒸着材料の蒸発による減少に伴って、前記第２ヒータから発生する熱量が増大するような制御を行う
ことを特徴とする請求項１〜１２のいずれか１項に記載の加熱装置。
【請求項１４】
前記制御部は、前記第１ヒータから発生する熱量が一定となるように制御を行う
ことを特徴とする請求項１２に記載の加熱装置。
【請求項１５】
前記制御部は、前記容器の底部から開口部に向かって温度が低下する部分が無いように、前記第１ヒータおよび前記第２ヒータを制御する
ことを特徴とする請求項１〜１４のいずれか１項に記載の加熱装置。
【請求項１６】
蒸着材料を収容する容器と加熱装置を有する蒸発源装置であって、
前記加熱装置は、請求項１〜１５のいずれか１項に記載の加熱装置である、蒸発源装置。
【請求項１７】
被蒸着体である基板を収容するチャンバと、マスクを介して前記基板に蒸着材料を放出して成膜を行う蒸発源装置と、を有する成膜装置であって、
前記蒸発源装置は、請求項１６に記載の蒸発源装置である、成膜装置。
【請求項１８】
被蒸着体である基板に蒸着材料による成膜を行う成膜方法であって、
加熱装置を用いて容器に収容された蒸着材料を加熱して蒸発させるステップを有し、
前記容器は、加熱された前記蒸着材料が放出される開口部と、第１領域と、前記第１領域よりも前記開口部から離れた領域である第２領域と、を有し、
前記加熱装置は、
前記第１領域を加熱する第１ヒータと、
前記第２領域を加熱する第２ヒータと、
前記第１ヒータと前記第２ヒータをそれぞれ独立に制御する制御部と、
を有し、
前記第２ヒータは第１部分と第２部分を含み、前記第２部分と前記第１ヒータの距離は前記第１部分と前記第１ヒータの距離よりも小さいものであり、
前記制御部は、前記第２ヒータを制御するときに、前記第１部分と前記第２部分を一体に制御するものであり、
前記容器のうち前記第１部分に対向する領域に入射する熱量は、前記第２部分に対向する領域に入射する熱量よりも大きい
ことを特徴とする成膜方法。
【請求項１９】
請求項１８に記載の成膜方法により電子デバイスを製造する、電子デバイスの製造方法。
【発明の詳細な説明】
【技術分野】
【０００１】
本発明は、加熱装置、蒸発源装置、成膜装置、成膜方法および電子デバイスの製造方法に関する。
【背景技術】
【０００２】
近年、ディスプレイの一種として、有機材料の電界発光を用いた有機ＥＬ素子を備えた有機ＥＬ装置が注目を集めている。かかる有機ＥＬディスプレイ等の有機電子デバイス製造において、蒸発源装置を用いて、基板上に有機材料や金属電極材料などの蒸着材料を蒸着させて成膜を行う工程がある。
【０００３】
蒸着工程で用いられる蒸発源装置は、蒸着材料が収容される容器としての機能と、蒸着材料の温度を上昇させて蒸発させ、基板の表面に付着させるための加熱機能を有する。従来、加熱機能を向上させて良好な成膜を行うために、蒸着材料を均一に加熱できるような蒸発源装置が提案されている。
【０００４】
特許文献１（特開２０１９−０３１７０５号公報）には、蒸着材料の容器（るつぼ）を高さ方向において二つの異なる領域（上部領域と下部領域）に分けたときに、上部領域と下部領域の加熱制御をそれぞれ独立に行う、いわゆるデュアルヒータ型の蒸発源装置の加熱装置が開示されている。特許文献１では、容器内の蒸着材料の量や蒸着の進行度合に応じて、上部領域に対応する上部ヒータと下部領域に対応する下部ヒータの加熱を制御することにより、突沸の発生や、容器開口部への材料の付着を防いでいる。
【先行技術文献】
【特許文献】
【０００５】
【特許文献１】特開２０１９−０３１７０５号公報
【発明の概要】
【発明が解決しようとする課題】
【０００６】
しかし、蒸発源装置の加熱制御において、突沸や容器開口部への材料の付着、過加熱による蒸着材料の劣化などの問題をさらに抑制し、品質の高い成膜を行うことが求められている。本発明はかかる課題に鑑みてなされたものであり、その目的は、蒸着材料を良好に加熱して好適な成膜を行うための技術を提供することにある。
【課題を解決するための手段】
【０００７】
上記目的のため、本発明は以下の構成を採用する。すなわち、
蒸着材料を収容する容器を加熱する加熱装置であって、
前記容器は、加熱された前記蒸着材料が放出される開口部と、第１領域と、前記第１領域よりも前記開口部から離れた領域である第２領域と、を有し、
前記第１領域を加熱する第１ヒータと、
前記第２領域を加熱する第２ヒータと、
前記第１ヒータと前記第２ヒータをそれぞれ独立に制御する制御部と、
を有し、
前記第２ヒータは第１部分と第２部分を含み、前記第２部分と前記第１ヒータの距離は前記第１部分と前記第１ヒータの距離よりも小さいものであり、
前記制御部は、前記第２ヒータを制御するときに、前記第１部分と前記第２部分を一体に制御するものであり、
前記容器のうち前記第１部分に対向する領域に入射する熱量は、前記第２部分に対向する領域に入射する熱量よりも大きい
ことを特徴とする加熱装置である。
本発明はまた、以下の構成を採用する。すなわち、
被蒸着体である基板に蒸着材料による成膜を行う成膜方法であって、
加熱装置を用いて容器に収容された蒸着材料を加熱して蒸発させるステップを有し、
前記容器は、加熱された前記蒸着材料が放出される開口部と、第１領域と、前記第１領域よりも前記開口部から離れた領域である第２領域と、を有し、
前記加熱装置は、
前記第１領域を加熱する第１ヒータと、
前記第２領域を加熱する第２ヒータと、
前記第１ヒータと前記第２ヒータをそれぞれ独立に制御する制御部と、
を有し、
前記第２ヒータは第１部分と第２部分を含み、前記第２部分と前記第１ヒータの距離は前記第１部分と前記第１ヒータの距離よりも小さいものであり、
前記制御部は、前記第２ヒータを制御するときに、前記第１部分と前記第２部分を一体に制御するものであり、
前記容器のうち前記第１部分に対向する領域に入射する熱量は、前記第２部分に対向する領域に入射する熱量よりも大きい
ことを特徴とする成膜方法である。
【発明の効果】
【０００８】
本発明によれば、蒸着材料を良好に加熱して好適な成膜を行うための技術を提供することができる。
【図面の簡単な説明】
【０００９】
【図１】成膜装置の構成を示す模式断面図
【図２】ヒータの配置と容器の加熱について検討するための図
【図３】蒸発源装置の容器およびヒータの構造を説明するための図
【図４】本発明の各実施形態に共通する構成を示す図
【図５】実施形態１の構成について説明するための図
【図６】実施形態２の構成について説明するための図
【図７】実施形態３の構成について説明するための図
【図８】実施形態４の構成について説明するための図
【図９】実施形態５の構成について説明するための図
【図１０】有機電子デバイスの製造方法を説明するための図
【発明を実施するための形態】
【００１０】
以下、図面を参照しつつ本発明の好適な実施形態及び実施例を説明する。ただし、以下の実施形態及び実施例は本発明の好ましい構成を例示的に示すものにすぎず、本発明の範囲をそれらの構成に限定されない。また、以下の説明における、装置のハードウェア構成及びソフトウェア構成、処理フロー、製造条件、寸法、材質、形状などは、特に特定的な記載がないかぎりは、本発明の範囲をそれらのみに限定する趣旨のものではない。
【００１１】
本発明は、蒸着により被蒸着体に薄膜を形成するための、加熱装置、蒸発源装置、成膜装置、成膜方法および電子デバイスの製造方法、などに関する発明である。本発明はまた、加熱制御方法、成膜制御方法、蒸発源装置の制御方法や、これらの制御方法をコンピュータに実行させるプログラムや、当該プログラムを格納した記憶媒体としても捉えられる。記憶媒体は、コンピュータにより読み取り可能な非一時的な記憶媒体であってもよい。
【００１２】
本発明は、例えば、被蒸着体である基板の表面に真空蒸着により所望のパターンの薄膜（材料層）を形成する装置に好ましく適用できる。基板の材料としては、ガラス、樹脂、金属などの任意の材料を選択できる。なお、蒸発源装置の被蒸着体は、平板状の基板に限られない。例えば、凹凸や開口のある機械部品を被蒸着体としてもよい。また、蒸着材料としても、有機材料、無機材料（金属、金属酸化物など）などの任意の材料を選択できる。また、有機膜だけではなく金属膜を成膜することも可能である。本発明の技術は、具体的には、電子デバイスや光学部材などの製造装置に適用可能であり、特に、有機電子デバイス（例えば、有機ＥＬ表示装置、薄膜太陽電池、有機ＣＭＯＳイメージセンサ）の製造に好適である。
【００１３】
＜蒸発源装置の構成＞
図１は、蒸着装置（成膜装置）の構成を模式的に示す断面図である。成膜装置は、真空チャンバ２００を有する。真空チャンバ２００の内部は、真空雰囲気か、窒素ガスなどの不活性ガス雰囲気に維持されている。なお、ここでいう真空とは、通常の大気圧（典型的には１０２３ｈＰａ）より低い圧力の気体で満たされた状態をいう。真空チャンバ２００の内部には、概略、基板保持ユニット（不図示）によって保持された被蒸着体である基板１０と、マスク２２０と、蒸発源装置２４０と、蒸着モニタ２８５が設けられる。
【００１４】
基板１０は、搬送ロボット（不図示）により真空チャンバ２００内に搬送されたのち、基板保持ユニットによって保持され、成膜時には水平面（ＸＹ平面）と平行となるよう固定される。なお、ここで言う「平行」とは、数学的に厳密な平行のみを意味するのではなく、水平面と基板１０とがなす角が小さい場合、例えば０°以上５°以下となる場合も含む。基板保持ユニットは、基板１０を載置するための受け爪などの支持具や、基板を押圧保持するためのクランプなどの押圧具によって基板を保持する。
マスク２２０は、基板１０上に形成する所定パターンの薄膜パターンに対応する開口パターンをもつマスクであり、例えばメタルマスクである。成膜開始前には、基板１０とマスク２２０がアライメントされたのち、位置関係が固定される。
なお、本実施形態では成膜時に基板１０が水平面と平行となるように固定されるものとしたが、これに限定はされない。基板１０は成膜時に水平面と交差するように固定されてもよいし、水平面と垂直となるように固定されてもよい。また、本実施形態では基板１０の成膜面が重力方向下方を向いた状態で成膜が行われるデポアップの構成を採用しているが、これに限定はされず、基板１０の成膜面が重力方向上方を向いた状態で成膜が行われるデポダウンの構成であってもよい。あるいは、基板１０が垂直に立てられた状態、すなわち、基板１０の成膜面が重力方向と平行な状態で成膜が行われる構成であってもよい。
【００１５】
真空チャンバ内には、その他、基板１０の温度上昇を抑制する冷却板を備えていてもよい。また、真空チャンバ２００の上には、基板１０のアライメントのための機構、例えば基板１０およびマスク２２０の一方を他方に対してＸ方向またはＹ方向に相対的に移動させるアクチュエータや、基板保持のためのクランプ機構用アクチュエータなどの駆動手段や、基板１０を撮像するカメラを備えていてもよい。真空チャンバ内にはまた、成膜を一様に行うために蒸発源装置２４０を移動させる、蒸発源駆動機構２５０を備えてもよい。
【００１６】
蒸発源装置２４０は概略、内部に蒸着材料２４２を収容可能な容器２４４と、加熱を行うための加熱装置２４５を備える。容器２４４の外周に配置された加熱装置２４５は、少なくともヒータ２４６を備えており、ヒータ２４６を固定する固定部材を含んでいても良い。ここではヒータ２４６として電熱線を用いたシーズヒータが使われており、本図ではシーズヒータの電熱線が容器２４４の周囲に巻き付けられた断面を示している。
【００１７】
なお、ヒータ２４６および制御部２７０を合わせて、加熱装置２４５だと考えても良い。また、容器２４４およびヒータ２４６に、制御部２７０を合わせて、蒸発源装置だと考
えても良い。ヒータ２４６の構成や制御については後に詳述する。蒸発源装置２４０はまた、加熱効率を高めるための反射部材としてのリフレクタを備えていて良い。蒸発源装置２４０はまた、構成要素全体を格納できる筐体、シャッタなどを備えていても良い。なお、図１における各構成要素の形状、位置関係、サイズ比は例示にすぎない。
【００１８】
容器２４４の材質としては、例えばセラミック、金属、カーボン材料などが知られているが、これに限定されず、蒸着材料２４２の物性やヒータ２４６による加熱温度との関係で好ましいものを用いる。その他、蒸着材料用の容器（ルツボ）として使用可能であれば、何も用いてもよい。ヒータ２４６としては、例えばシーズヒータや金属ワイヤ線などの抵抗加熱式のヒータが知られているが、これに限定されず、蒸着材料２４２を蒸発させる加熱性能があればよい。後述するように、容器２４４の複数の部位を個別に温度制御しながら加熱できるものであれば、種類は問わない。またヒータの形状についても、図１のようなワイヤ状のほか、プレート状、メッシュ状など任意の形状を採用できる。リフレクタは熱効率を高める保温材（断熱材）であり、例えば金属等を利用できるが、これに限定されない。
【００１９】
蒸着モニタ２８５は、制御部２７０が蒸着材料２４２の蒸着レートを測定して加熱制御を行うために用いられる。蒸着モニタ２８５としては、水晶膜厚計などを利用できる。
【００２０】
制御部２７０は、蒸発源装置２４０の制御、例えば加熱の開始や終了のタイミング制御、温度制御を行う。制御部２７０はさらに、シャッタを設ける場合はその開閉タイミング制御、蒸発源駆動機構を設ける場合はその駆動制御（蒸発源の移動制御）などを行う。なお、複数の制御手段を組み合わせて制御部２７０を構成してもよい。複数の制御手段とは例えば、加熱制御手段、シャッタ制御手段、蒸発源駆動制御手段などである。また、ヒータ２４６の部位ごとに制御可能とした場合、それぞれの部位ごとに加熱制御手段を設けてもよい。制御部２７０は、基板１０の搬送や、基板１０とマスク２２０のアライメントなど、蒸発源装置２４０以外の機構の制御手段を兼ねていてもよい。
【００２１】
制御部２７０は、例えば、プロセッサ、メモリ、ストレージ、Ｉ／Ｏ、ＵＩなどを有するコンピュータにより構成される。この場合、制御部２７０の機能は、メモリ又はストレージに記憶されたプログラムをプロセッサが実行することにより実現される。コンピュータとしては、汎用のコンピュータを用いてもよいし、組込型のコンピュータ又はＰＬＣ（ｐｒｏｇｒａｍｍａｂｌｅ  ｌｏｇｉｃ  ｃｏｎｔｒｏｌｌｅｒ）を用いてもよい。あるいは、制御部２７０の機能の一部又は全部をＡＳＩＣやＦＰＧＡのような回路で構成してもよい。成膜システムが複数の成膜装置を備える場合、成膜装置ごとに制御部２７０が設けられていてもよいし、１つの制御部２７０が複数の成膜装置を制御してもよい。
【００２２】
容器内部に蒸着材料２４２が収容されると、制御部２７０の制御によってヒータ２４６が動作を開始し、蒸着材料２４２が加熱される。温度が十分に高まったら、真空チャンバ２００内にマスク２２０および基板１０が搬入され、基板１０とマスク２２０のアライメントなどが行われる。その後、蒸発源装置２４０のシャッタが閉状態から開状態となると、蒸着材料２４２が放出される。これにより蒸着材料２４２が基板１０の表面に付着して薄膜を形成する。複数の容器に別種の蒸着材料を収容しておくことで、共蒸着も可能である。形成された膜の膜厚を蒸着モニタ２８５で測定しながら制御を行うことで、基板上に所望の厚さを持った膜が形成される。一様な厚さで成膜するために、例えば、基板１０を回転させたり、蒸発源駆動機構により蒸発源装置を移動させたりしながら蒸着を行ってもよい。また、基板の大きさによっては、複数の蒸発源を並行して加熱しても良い。容器２４４の形状は任意である。例えば、開口部に、放出される蒸着材料の指向性を高めるようなノズルを設けてもよい。また、蒸発源の種類も、点状の蒸発源、線状の蒸発源、面状の蒸発源のいずれでも構わない。
【００２３】
後述するが、ある種類の蒸着材料が成膜された基板上に別種の蒸着材料を成膜することで、複層構造を形成できる。その場合、容器内の蒸着材料を交換したり、容器自体を別種の蒸着材料が格納されたものに交換したりしてもよい。また、真空チャンバ内に複数の蒸発源装置を設けて交換しながら用いてもよいし、基板１０を現在の成膜装置から搬出し、別種の蒸着材料が収納された蒸発源装置を備える他の成膜装置に搬入してもよい。
【００２４】
＜加熱制御に関する検討＞
図２を参照して、発明者らによる、上部ヒータ２４６ａおよび下部ヒータ２４６ｂの構成と、容器２４４の温度変化と、蒸着材料の蒸発との関係についての検討結果を説明する。図２（ａ）は、第１の検討事例であり、上部ヒータ２４６ａと下部ヒータ２４６ｂが、連続的に、かつ同様の密度で配置されている様子を示している。本例では、上部ヒータ２４６ａには常に所定の電力を投入し、下部ヒータ２４６ｂへの投入電力を蒸着の進行に応じて変化させる。
【００２５】
なお、ここではヒータの密度という用語を、ヒータ線と直交する面で切断したときの断面における、単位断面積あたりのヒータ本数、または単位断面積当たりのヒータ断面積という意味で使っている。例えば、当該断面においてヒータ線を囲み、かつ面積が最小となるように長方形を描き、この長方形の面積で、囲んだヒータ線の本数またはヒータ線の断面積の合計を除した値をヒータの密度としてもよい。このヒータ密度を、高さ方向の単位距離あたりのヒータ本数と考えても、以下の説明は適用可能である。
【００２６】
図２（ｂ）は、図２（ａ）の構成において、上部ヒータ２４６ａには所定の電力を投入し、下部ヒータ２４６ｂへの投入電力を変化させたときの、容器２４４内の蒸着材料２４２の温度分布を示すグラフである。横軸は温度を示し、温度ｔ１は蒸着材料２４２が蒸発する蒸発温度、温度ｔ２は蒸着材料２４２の劣化が始まる劣化開始温度である。縦軸は容器内の高さ方向の位置に対応する。状態１−１から状態１−３に向かって下部ヒータ２４６ｂの温度が高くなるに連れて、加熱が進んでいく様子を示す。
【００２７】
図２（ｂ）において、下部ヒータ２４６ｂの温度が比較的低い状態１−１のときは、容器２４４の最上部においても劣化開始温度ｔ２を超えていない。しかし、蒸着材料２４２の減少に伴って制御部２７０が下部ヒータ２４６の温度を上昇させて、状態１−２を経て状態１−３となるのに応じて、容器２４４の上部では劣化開始温度ｔ２を超えてしまう（符号Ａで示す）。その結果として、材料が劣化するおそれがある。
【００２８】
また、図２（ｃ）は、図２（ｂ）の現象に鑑みてなされた第２の検討事例である。図２（ｃ）の構成では、上部ヒータ２４６ａと下部ヒータ２４６ｂが、中間に隙間を置いて配置されている。かかる構成の意図は、下部ヒータ２４６ｂの温度が上昇していった場合でも、容器上部における過加熱を防ぐためになされたものである。すなわち、図２（ｄ）に示されるように、下部ヒータ２４６ｂによる加熱が進行して温度が上昇して行っても、中間部に非加熱部があるために、状態２−２に示すように温度の上昇が抑制される。
【００２９】
図２（ｃ）の構成であれば、容器の最上部であっても、比較的温度上昇が緩やかになり、蒸着材料２４２の劣化を抑制することができる。しかしながら、中間部に対応する部分にヒータが配置されていないことで中間部への熱の供給が不足し、容器内の下部領域の方が中間部よりも温度が高くなる逆転現象が発生する（符号Ｂで示す）。このように、蒸着時に容器２４４の底部から開口部に向かって温度が低下する部分があるような温度分布においては、底部付近において蒸着材料２４２の温度が蒸発点ｔ１を超えたときでも、中間部の蒸着材料２４２は未だに固体のままとなりうる。そのため蒸発した蒸着材料２４２が固体で蓋をされた状態となり、突沸が発生するおそれがある。
【００３０】
＜容器と加熱装置の構成＞
図３の概略断面図を用いて、容器２４４およびヒータ２４６の構造について更に説明する。図３（ａ）は、容器２４４の各部位を指し示す用語について説明する図である。本図では、説明に関係の無い部分は省略している。
【００３１】
図３（ａ）において、容器２４４を高さ方向に区分した場合に、容器２４４の上面２４４ｍに近接した領域を「上部領域２４４ａ」と呼ぶ。上部領域２４４ａは、蒸発した蒸着材料２４２の放出のときに通過する開口部に近接している。また、容器２４４を高さ方向に区分した場合に、容器２４４の底面２４４ｎに近接した領域を「下部領域２４４ｂ」と呼ぶ。上部領域と下部領域のそれぞれが容器の高さの中で占める割合は、図示例に限定されない。なお、容器２４４が上面から突出したノズルを備える場合や、容器２４４にくびれが設けられた場合などは、高さ方向において複数の側面が存在する場合がある。その場合、上部領域２４４ａは、容器２４４を高さ方向に区分したときの最も上方の領域とする。
【００３２】
また、下部領域２４４ｂのうち、上部領域２４４ａとの距離が比較的大きい領域のことを、「下部領域の第１領域２４４ｂ１」と呼ぶことがある。また、下部領域２４４ｂのうち、上部領域２４４ａとの距離が比較的小さい領域のことを、「下部領域の第２領域２４４ｂ２」と呼ぶことがある。下部領域の第１領域２４４ｂ１と、下部領域の第２領域２４４ｂ２のそれぞれが、容器の高さ方向において下部領域２４４ｂの中で占める割合は、図示例に限定されない。なお、下部領域の第２領域２４４ｂ２は、上部領域２４４ａと、下部領域の第１領域２４４ｂ１との中間部に位置する。そこで、下部領域の第２領域２４４ｂ２を中間領域と呼ぶこともできる。
【００３３】
図３（ｂ）は、加熱装置２４５の構造について更に説明するための図である。ここでは、簡略化のため加熱装置２４５のうちヒータ２４６の断面のみを示している。
上部ヒータ２４６ａ（第１ヒータ）は、上部領域２４４ａに対向する位置に設けられている。そのため上部ヒータ２４６ａに電力が供給された場合、上部領域２４４ａが最も熱を受け取る。また、下部ヒータ２４６ｂ（第２ヒータ）は、下部領域２４４ｂに対向する位置に設けられている。そのため下部ヒータ２４６ｂに電力が供給された場合、下部領域２４４ｂが最も熱を受け取る。
【００３４】
さらに、下部ヒータ２４６ｂのうち、下部領域の第１領域２４４ｂ１に対向する位置にある部分を、「下部ヒータの第１部分２４６ｂ１」と呼ぶことがある。同様に、下部ヒータ２４６ｂのうち、下部領域の第２領域２４４ｂ２に対向する位置にある部分を、「下部ヒータの第２部分２４６ｂ２」と呼ぶことがある。
なお、各領域と各ヒータの対応を考えるときに、「対向する位置」という文言を厳格に捉える必要はない。領域とヒータの間に多少の高さ方向の位置ずれがあったとしても、加熱対象位置の温度に影響を与えられれば構わない。
【００３５】
制御部２７０は、上部ヒータ２４６ａと下部ヒータ２４６ｂを、それぞれ独立して制御可能である。制御内容としては、加熱の開始／終了や温度変更などがある。例えばシーズヒータを用いる場合、電熱線に印加（供給）する電力等を変化させる。なお、制御部２７０は、下部ヒータの第１部分２４６ｂ１と第２部分２４６ｂ２については、単一の制御を行う。すなわち、上部ヒータ２４６ａと下部ヒータ２４６ｂの間では加熱の開始／終了タイミングや流れる電流が異なる場合があるが、下部ヒータの第１部分２４６ｂ１と第２部分２４６ｂ２の間では、これらの制御内容は同一である。このような制御は、典型的には下部ヒータの第１部分２４６ｂ１と第２部分２４６ｂ２とを一本の電熱線で構成することで実現できる。
【００３６】
また、制御部２７０は、上部ヒータ２４６ａと下部ヒータ２４６ｂのいずれか一方についてのみ、投入する電力を変化させる制御を行い、他方については、一定の電力を投入するものとする。このように本発明では、デュアルヒータ構成において一方のヒータにのみ電力変化制御を行い、他方には所定の固定電力を投入することで、制御機構や制御方法を簡素化にしている。
【００３７】
制御部２７０は加熱手段の種類に応じた方法で上部ヒータ２４６ａと下部ヒータ２４６ｂそれぞれを制御する。例えば抵抗加熱式ヒータを用いる場合は発熱線への通電を制御する。より具体的には、抵抗加熱式ヒータの電流密度を高くしたり低くしたりすることで、温度を高くしたり低くしたりする。制御部２７０は、ユーザがコンピュータのＵＩ等を介して入力した入力値や、装置構成および蒸着材料に関する条件（例えば、ヒータの性能、容器の形状や材質、リフレクタの配置や特性、その他成膜装置の特性、蒸着材料の種類、容器内に収容される蒸着材料の量）などに応じて制御条件を決定する。蒸着モニタ２８５や、温度センサ（不図示）の検出値を制御に用いることも好ましい。また、蒸着材料や装置構成に応じた好ましい制御条件を、予めメモリにテーブルや数式の形式で格納しておき、制御部２７０に参照させることも好ましい。
【００３８】
＜本発明の特徴＞
そこで発明者らはさらなる検討を行い、容器内の温度を好適に制御して蒸着材料の劣化や突沸の発生を低減できるような、加熱装置の構成を着想するに至った。まず、図４を用いて本発明に共通する構成と原理について説明したのち、具体的な各実施形態の説明に移ることとする。
【００３９】
図４（ａ）において、説明の都合から、加熱装置２４５を、上部領域２４４ａに対応する部分（符号２４５ａ）、下部領域の第１領域２４４ｂ１に対応する部分（符号２４５ｂ１）、下部領域の第２領域２４４ｂ２に対応する部分（符号２４５ｂ２）に区画している。ここでも、制御部２７０は、上部領域２４４ａに対向する部分２４５ａでは一定の電力投入によって加熱を行い、下部領域２４４ｂに対向する部分２４５ｂ（２４５ｂ１及び２４５ｂ２）では蒸着の進行に応じて投入電力を変化させるものとする。
【００４０】
このとき図４（ａ）は、容器２４４の各領域に対して、加熱装置２４５から入射する熱量を示している。白抜き矢印の太さが、単位面積当たりの、加熱装置２４５から入射する熱量である。なお、ここで問題となるのは下部ヒータに対応する部分の内部での熱量の差であるため、上部ヒータに対応する部分（符号２４５ａ）に関しては省略している。図から分かるように、下部領域の第１領域２４４ｂ１に入射する熱量は、下部領域の第２領域２４４ｂ２に入射する熱量よりも大きくなっている。本発明の各実施形態の特徴は、このような下部領域内での部分ごとに異なる温度制御を、各部分に投入する電力制御を変えることなく、物理的な構成によって実現する点にある。なお、各領域への入射熱量を比較するときには、例えば容器表面の単位面積あたりの入射熱量や、容器の単位容積当たりの入射熱量を比較すれば良い。
【００４１】
図４（ｂ）は、図４（ａ）の構成の効果を、図２（ａ）および図２（ｃ）の構成と比較しながら説明するためのグラフである。図４（ａ）の構成では、下部領域の第２領域２４４ｂ２に入射する熱量が、図２（ａ）の場合と比べて小さい。そのため、加熱が進行しても、容器最上部の温度が過剰に上昇することがないため、過加熱を抑制することができる。一方で、図２（ｃ）の構成とは違い、下部領域の第２領域２４４ｂ２に対応する部分にもヒータが配置されているため、蒸着時に容器２４４の底部から開口部に向かって温度が低下する部分が無くなる。その結果、図２（ｄ）の状態２−２のような温度の逆転現象が発生しないため、突沸が発生しにくくなる。
【００４２】
このように本発明では、下部ヒータ２４６ｂに投入される電力が一定であっても、下部領域の第２領域２４４ｂ２に入射する単位面積あたりの熱量が、下部領域の第１領域２４４ｂ１に入射する単位面積あたりの熱量よりも小さくなる。そのため、比較的簡易な構成で、過加熱や突沸を抑制して好適な成膜を実現できる。なお、ここでは上部ヒータ２４６ａの電力を一定とし、下部ヒータ２４６ｂの電力を可変としたが、逆に下部ヒータ２４６ｂの電力を一定とし、上部ヒータ２４６ａの電力を可変としても良い。制御部２７０は、下部ヒータ２４６ｂの第１部分２４６ｂ１と第２部分２４６ｂ２を一体に制御する。
【００４３】
［実施形態１］
図５を用いて本実施形態の構成を説明する。なお図中では、簡略化のために、容器２４４とヒータ２４６以外の構成を省略した。本図においても、上部ヒータ２４６ａの電力は固定とし、下部ヒータ２４６ｂの電力は可変とする。
【００４４】
本実施形態では、下部ヒータ２４６の材質や太さは一定であり、第１部分２４６ｂ１と第２部分２４６ｂ２との間で違いはないものとする。本実施形態における第１部分２４６ｂ１と第２部分２４６ｂ２の相違点は、単位面積あたりのヒータ線密度にある。具体的には、第２部分２４６ｂ２におけるヒータ線密度が、第１部分２４６ｂ１におけるヒータ線密度よりも低い。
【００４５】
図５（ａ）は、本実施形態の第１の実装例である。第１部分２４６ｂ１と第２部分２４６ｂ２ではヒータ線の疎密度が異なっており、第１部分２４６ｂ１では密に（本数が多く）、第２部分２４６ｂ２では疎らに（本数が少なく）、配置されている。
【００４６】
図５（ｂ）は、本実施形態の第２の実装例である。第１部分２４６ｂ１と第２部分２４６ｂ２ではヒータ線の巻き数が異なっており、第１部分２４６ｂ１での巻き数は、第２部分２４６ｂ２での巻き数よりも多い。図示例では二重巻きだが、これには限定されない。
【００４７】
ヒータ２４６が電熱線である場合、第１部分２４６ｂ１と第２部分２４６ｂ２とで、電熱線の巻き数やピッチを変化させることにより、本実施形態の構成を実現できる。このように、第２部分２４６ｂ２のヒータ線密度を第１部分２４６ｂ１よりも小さくすることにより、第２部分２４６ｂ２から発生する熱量が第１部分２４６ｂ１よりも少なくなる。したがって、下部領域２４４ｂのうち、上部領域２４４ａから比較的遠い第１領域２４４ｂ１に入射する熱量が、第２領域２４４ｂ２に入射する熱量よりも大きくなる。その結果、デュアルヒータ構成の装置において、簡易な構成により、容器２４４の最上部の過剰な加熱と蒸着材料２４２の突沸を共に抑制して、良好な成膜を実現できるようになる。
なお、電熱線の疎密度や巻き数を、第１部分２４６ｂ１と第２部分２４６ｂ２の間でいきなり変えるのではなく、段階的に変えても良い。
【００４８】
［実施形態２］
図６を用いて本実施形態の構成を説明する。なお図中では、簡略化のために、容器２４４とヒータ２４６以外の構成を省略した。本図においても、上部ヒータ２４６ａの電力は固定とし、下部ヒータ２４６ｂの電力は可変とする。
【００４９】
本実施形態においては、第１部分２４６ｂ１と第２部分２４６ｂ２の間でヒータ線の性質が異なる点に特徴がある。具体的には、下部ヒータ２４６ｂに電力が投入されたときに、第２部分２４６ｂ２から発生する熱量が、第１部分２４６ｂ１から発生する熱量よりも小さくなるように、下部ヒータ２４６ｂが構成されている。
【００５０】
図６（ａ）は、本実施形態の第１の実装例である。第１部分２４６ｂ１と第２部分２４
６ｂ２ではヒータ線の太さが異なっており、第２部分２４６ｂ２におけるヒータ線の太さは、第１部分２４６ｂ１よりも太い。そのため、第１部分２４６ｂ１におけるヒータ線の抵抗が、第２部分２４６ｂ２よりも大きくなる。よって、第２部分２４６ｂ２から発生する熱量が、第１部分２４６ｂ１よりも小さくなる。
このような下部ヒータ２４６ｂは、材質が同じで互いに太さの異なる二本の電熱線を接合したり、電熱線の製造時から太さの異なる部分を設けたりすることで製造できる。なお、電熱線の太さが第１部分２４６ｂ１と第２部分２４６ｂ２の間でいきなり変わるのではなく、段階的に変わるようにしても良い。
【００５１】
図６（ｂ）は、本実施形態の第２の実装例である。第１部分２４６ｂ１と第２部分２４６ｂ２では電熱線の抵抗率が異なっており、第２部分２４６ｂ２における抵抗率は、第１部分２４６ｂ１よりも高い。したがって、低抵抗な第２部分２４６ｂ２から発生する熱量は、高抵抗な第１部分２４６ｂ１から発生する熱量よりも小さくなる。
このような下部ヒータ２４６ｂは、材質が異なる二本の電熱線を接合する等の方法で製造できる。
【００５２】
本実施形態によれば、下部領域２４４ｂのうち、上部領域２４４ａに比較的近い第２領域２４４ｂ２に入射する熱量が、第１領域２４４ｂ１に入射する熱量よりも小さくなる。その結果、デュアルヒータ構成の装置において、簡易な構成により、容器２４４の最上部の過剰な加熱と蒸着材料２４２の突沸を共に抑制して、良好な成膜を実現できる。
［実施形態３］
図７を用いて本実施形態の構成を説明する。なお図中では、簡略化のために、容器２４４とヒータ２４６以外の構成を省略した。本図においても、上部ヒータ２４６ａの電力は固定とし、下部ヒータ２４６ｂの電力は可変とする。また本図では下部ヒータ２４６ｂとして図５（ａ）の構成を用いたが、実施形態１および２に記載された何れの構成を用いても良い。
【００５３】
本実施形態においては、下部ヒータ２４６ｂだけでなく、上部ヒータ２４６ａでも、高さ方向において放射熱量を変化させている。本図では、上部ヒータ２４６ａのうち開口部に近い側を第３部分２４６ａ１とし、下部ヒータ２４６ｂに近い側を第４部分２４６ａ２としたときに、第３部分２４６ａ１のヒータ線密度を、第４部分２４６ａ２のヒータ線密度よりも高くしている。その結果、色付き矢印で示したように、ヒータ線が密な第３部分２４６ａ１から発生する熱量が、ヒータ線が疎らな第４部分２４６ａ２から発生する熱量よりも大きくなる。
【００５４】
本実施形態によれば、上部領域２４４ａのうち、より開口部に近い位置における温度が高くなるため、開口部付近（ノズルがある場合は、ノズルの付近）において、蒸着材料の付着防止の効果が得られる。なお、ここでは上部ヒータ２４６ａのヒータ線の疎密度を変化させた。しかし、ヒータ線の巻き数、太さ、抵抗率などを変化させても良い。
また、後述するようなリフレクタを第４部分２４６ａ２と容器２４４の間に配置したり、第３部分２４６ａ１の外側に配置したりしても良い。
【００５５】
［実施形態４］
図８を用いて本実施形態の構成を説明する。なお図中では、簡略化のために、容器２４４、ヒータ２４６およびリフレクタ２４８以外の構成を省略した。本図においても、上部ヒータ２４６ａの電力は固定とし、下部ヒータ２４６ｂの電力は可変とする。
【００５６】
また本実施形態では、下部ヒータ２４６の疎密度、巻き数、抵抗率および太さは一定であり、第１部分２４６ｂ１と第２部分２４６ｂ２との間で違いはないものとする。したがって、下部ヒータ２４６ｂの高さ方向の各位置において、単位断面積あたりの発熱量自体
は一定である。そこで本実施形態では、リフレクタ２４８を設置することにより、下部ヒータ２４６ｂの領域ごとに、ヒータ線から容器２４４に到達する熱量を変化させる。
【００５７】
本実施形態の加熱装置２４５に含まれるリフレクタは、ヒータ線の内側、かつ容器２４４の外側に配置される、内側リフレクタ２４８ａ（内側熱反射部材）である。
【００５８】
図８（ａ）は、本実施形態の第１の実装例である。内側リフレクタ２４８ａが、下部ヒータの第２部分２４６ｂ２と、容器２４４の下部領域の第２領域２４４ｂ２の間に配置されている。内側リフレクタ２４８ａによって熱が反射されるため、下部ヒータの第２部分２４６ｂ２と第２領域２４４ｂ２との間の輻射伝熱率を、下部ヒータの第１部分２４６ｂ１と第１領域２４４ｂ１との間の輻射伝熱率よりも小さくすることができる。これにより、下部ヒータの第２部分２４６ｂ２について、ヒータから容器への熱の入射が遮蔽される構造となっている。なお、ここでいう「輻射伝熱率」とは、ある領域を輻射熱が伝熱する際の、該領域を伝熱方向に垂直な平面で切断したときの断面における単位面積あたりの輻射伝熱量を指す。熱源からの放射熱量が同じ場合には、「輻射伝熱率」が小さいとその領域内で熱が遮蔽され減衰されることになる。
【００５９】
図８（ｂ）は、本実施形態の第２の実装例である。図８（ａ）と同様の内側リフレクタ（第１の内側リフレクタ２４８ａ１：第１の内側熱反射部材）に加えて、第２の内側リフレクタ２４８ａ２（第２の内側熱反射部材）が配置されている。第２の内側リフレクタ２４８ａ２は、下部ヒータ２４６ｂ全体と下部領域２４４ｂ全体の間に配置されている。その結果、第１領域２４４ｂ１と第２領域２４４ｂ２を比較したときに、第１領域２４４ｂ１への単位面積当たり入射熱量の方が大きくなる。なお、第１の内側リフレクタ２４８ａ１と第２の内側リフレクタ２４８ａ２の材質、構造、加工方法などは、同じであっても良いし違っていても良い。図では第１の内側リフレクタ２４８ａ１の方が第２の内側リフレクタ２４８ａ２よりも内側にあるが、逆であっても良い。
【００６０】
図８（ｃ）は、本実施形態の第３の実装例である。本図の内側リフレクタ２４８ａは、第１領域２４４ｂ１に対向する第１のリフレクタ部分２４８ａ３と、第２領域２４４ｂ２に対向する第２のリフレクタ部分２４８ａ４を含む。第２のリフレクタ部分２４８ａ４の単位面積あたりの熱反射率は、第１のリフレクタ部分２４８ａ３よりも高いものとする。換言すれば、第２のリフレクタ部分２４８ａ４の輻射伝熱率は、第１のリフレクタ部分２４８ａ３よりも小さいものとする。このような反射率または輻射伝熱率の違いは、各リフレクタ部分の材質、表面加工方法、色、穴の有無、厚さなどを変えるなどの、既知の方法で実現できる。
【００６１】
なお、図８（ｂ）の構成において、第１の内側リフレクタ２４８ａ１と第２の内側リフレクタ２４８ａ２を合わせて「内側リフレクタ」と考えると、図８（ｂ）の構成は、図８（ｃ）の場合と同じく、内側リフレクタの上部と下部で反射率または輻射伝熱率が異なる構造だと考えることができる。
【００６２】
本実施形態によれば、下部領域２４４ｂのうち、上部領域２４４ａに比較的近い第２領域２４４ｂ２に入射する熱量が、第１領域２４４ｂ１に入射する熱量よりも小さくなる。その結果、デュアルヒータ構成の装置において、簡易な構成により、容器２４４の最上部の過剰な加熱と蒸着材料２４２の突沸を共に抑制して、良好な成膜を実現できる。
なお、高さ方向における、リフレクタとヒータの各部分の対向関係や、リフレクタと容器の各領域の対向関係は、必ずしも厳密でなくてもよい。リフレクタのはみ出しがある場合や、リフレクタがそれぞれの部分やそれぞれの領域の全体を覆っていない場合でも、放出される熱量制御に関する効果は得られる。
【００６３】
［実施形態５］
図９を用いて本実施形態の構成を説明する。リフレクタ以外の構成については、実施形態４と同様である。本実施形態の加熱装置２４５に含まれるリフレクタは、ヒータ線の外側、すなわち、ヒータ線を介して容器と反対の側に配置される、外側リフレクタ２４８ｂ（外側熱反射部材）である。
【００６４】
図９（ａ）は、本実施形態の第１の実装例である。外側リフレクタ２４８ｂが、下部ヒータの第１部分２４６ｂ１の外側、すなわち、第１部分２４６ｂ１を介して容器２４４と反対の側に配置されている。その結果、第１部分２４６ｂ１から外側に逃げる熱が外側リフレクタ２４８ｂにより反射して、下部領域の第１領域２４４ｂ１への入射熱量が増大する構成となっている。なお、厳密に言えば第１部分２４６ｂ１から外側に逃げる熱の一部は外側リフレクタ２４８ｂに吸収され、下部領域の第１領域２４４ｂ１へと輻射されることになるが、これも含めて反射と捉えることもできる。本実施形態では、外側リフレクタを配置することによって、下部ヒータの第１部分２４６ｂ１と第１領域２４４ｂ１との間の輻射伝熱率を、下部ヒータの第２部分２４６ｂ２と第２領域２４４ｂ２との間の輻射伝熱率よりも大きくすることが特徴である。
【００６５】
図９（ｂ）は、本実施形態の第２の実装例である。図９（ａ）と同様の外側リフレクタ（第１の外側リフレクタ２４８ｂ１：第１の外側熱反射部材）に加えて、第２の外側リフレクタ２４８ｂ２（第２の外側熱反射部材）が配置されている。第２の外側リフレクタ２４８ｂ２は、下部ヒータ２４６ｂ全体に対応するように配置されている。その結果、第１領域２４４ｂ１と第２領域２４４ｂ２を比較したときに、第１領域２４４ｂ１への単位面積当たり入射熱量の方が大きくなる。なお、第１の外側リフレクタ２４８ｂ１と第２の外側リフレクタ２４８ｂ２の材質、構造、加工方法などは、同じであっても良いし違っていても良い。
【００６６】
図９（ｃ）は、本実施形態の第３の実装例である。本図の外側リフレクタ２４８ｂは、下部ヒータの第１部分２４６ｂ１に対応する第１のリフレクタ部分２４８ｂ３と、第２部分２４６ｂ２に対向する第２のリフレクタ部分２４８ｂ４を含む。第１のリフレクタ部分２４８ａ３の単位面積あたりの熱反射率は、第２のリフレクタ部分２４８ａ４よりも高いものとする。このような反射率の違いは、各リフレクタ部分の材質、表面加工方法、色、穴の有無、厚さなどを変えるなどの、既知の方法で実現できる。
【００６７】
本実施形態によれば、下部領域２４４ｂのうち、上部領域２４４ａに比較的近い第２領域２４４ｂ２に入射する熱量が、第１領域２４４ｂ１に入射する熱量よりも小さくなる。その結果、デュアルヒータ構成の装置において、簡易な構成により、容器２４４の最上部の過剰な加熱と蒸着材料２４２の突沸を共に抑制して、良好な成膜を実現できる。
なお、高さ方向における、リフレクタとヒータの各部分の対向関係は、必ずしも厳密でなくてもよい。リフレクタのはみ出しがある場合や、リフレクタがそれぞれの部分の全体を覆っていない場合でも、放出される熱量制御に関する効果は得られる。
【００６８】
上述の各実施形態は、可能な範囲で互いに組み合わせることができる。例えば、実施形態１、２では、下部ヒータ２４６ｂの部位ごとに発熱量を変えるための複数の方法を述べたが、これら複数の方法は択一的なものではなく、いくつかを組み合わせても良い。また、実施形態４、５では、リフレクタを設置する複数の方法を述べたが、これら複数の方法は択一的なものではなく、いくつかを組み合わせても良い。また、実施形態１、２で述べた下部ヒータ２４６ｂの各種構成、実施形態３で述べた上部ヒータ２４６ａの各種構成、および実施形態３、４で述べたリフレクタの各種構成を、本発明の目的を達成する限りにおいて、任意に組み合わせても良い。複数の構成を組み合わせることにより、第１領域と第２領域の温度関係をより効率的に形成できる。
【００６９】
＜実施形態６＞
＜有機電子デバイスの製造方法の具体例＞
本実施形態では、蒸発源装置を備える蒸着装置（成膜装置）を用いた有機電子デバイスの製造方法の一例を説明する。以下、有機電子デバイスの例として有機ＥＬ表示装置の構成及び製造方法を例示する。まず、製造する有機ＥＬ表示装置について説明する。図１０（ａ）は有機ＥＬ表示装置６０の全体図、図１０（ｂ）は一つの画素の断面構造を表している。成膜装置が備える蒸発源装置２４０としては、上記の各実施形態にいずれかに記載の装置を用いる。
【００７０】
図１０（ａ）に示すように、有機ＥＬ表示装置６０の表示領域６１には、発光素子を複数備える画素６２がマトリクス状に複数配置されている。発光素子のそれぞれは、一対の電極に挟まれた有機層を備えた構造を有している。なお、ここでいう画素とは、表示領域６１において所望の色の表示を可能とする最小単位を指している。本図の有機ＥＬ表示装置の場合、互いに異なる発光を示す第１発光素子６２Ｒ、第２発光素子６２Ｇ、第３発光素子６２Ｂの組合せにより画素６２が構成されている。画素６２は、赤色発光素子と緑色発光素子と青色発光素子の組合せで構成されることが多いが、黄色発光素子とシアン発光素子と白色発光素子の組み合わせでもよく、少なくとも１色以上であれば特に制限されるものではない。
【００７１】
図１０（ｂ）は、図１０（ａ）のＡ−Ｂ線における部分断面模式図である。画素６２は、被蒸着体である基板６３上に、第１電極（陽極）６４と、正孔輸送層６５と、発光層６６Ｒ，６６Ｇ，６６Ｂのいずれかと、電子輸送層６７と、第２電極（陰極）６８と、を備える有機ＥＬ素子を有している。これらのうち、正孔輸送層６５、発光層６６Ｒ，６６Ｇ，６６Ｂ、電子輸送層６７が有機層に当たる。また、本実施形態では、発光層６６Ｒは赤色を発する有機ＥＬ層、発光層６６Ｇは緑色を発する有機ＥＬ層、発光層６６Ｂは青色を発する有機ＥＬ層である。
【００７２】
発光層６６Ｒ，６６Ｇ，６６Ｂは、それぞれ赤色、緑色、青色を発する発光素子（有機ＥＬ素子と記述する場合もある）に対応するパターンに形成されている。また、第１電極６４は、発光素子ごとに分離して形成されている。正孔輸送層６５と電子輸送層６７と第２電極６８は、複数の発光素子６２Ｒ，６２Ｇ，６２Ｂと共通で形成されていてもよいし、発光素子毎に形成されていてもよい。なお、第１電極６４と第２電極６８とが異物によってショートするのを防ぐために、第１電極６４間に絶縁層６９が設けられている。さらに、有機ＥＬ層は水分や酸素によって劣化するため、水分や酸素から有機ＥＬ素子を保護するための保護層７０が設けられている。
【００７３】
次に、電子デバイスとしての有機ＥＬ表示装置の製造方法の例について具体的に説明する。まず、有機ＥＬ表示装置を駆動するための回路（不図示）および第１電極６４が形成された基板６３を準備する。
次に、第１電極６４が形成された基板６３の上にアクリル樹脂をスピンコートで形成し、アクリル樹脂をリソグラフィ法により、第１電極６４が形成された部分に開口が形成されるようにパターニングし絶縁層６９を形成する。この開口部が、発光素子が実際に発光する発光領域に相当する。
【００７４】
次に、絶縁層６９がパターニングされた基板６３を第１の成膜装置に搬入し、基板保持ユニットにて基板を保持し、正孔輸送層６５を、表示領域の第１電極６４の上に共通する層として成膜する。正孔輸送層６５は真空蒸着により成膜される。実際には正孔輸送層６５は表示領域６１よりも大きなサイズに形成されるため、高精細なマスクは不要である。ここで、本ステップでの成膜や、以下の各レイヤーの成膜において用いられる成膜装置は
、上記各実施形態のいずれかに記載された加熱装置（蒸発源装置、成膜装置）を備えている。そのため、成膜中の突沸、過加熱、蒸着材料の付着などが抑制される。
【００７５】
次に、正孔輸送層６５までが形成された基板６３を第２の成膜装置に搬入し、基板保持ユニットにて保持する。基板とマスクとのアライメントを行い、基板をマスクの上に載置し、基板６３の赤色を発する素子を配置する部分に、赤色を発する発光層６６Ｒを成膜する。本例によれば、マスクと基板とを良好に重ね合わせることができ、高精度な成膜を行うことができる。
【００７６】
発光層６６Ｒの成膜と同様に、第３の成膜装置により緑色を発する発光層６６Ｇを成膜し、さらに第４の成膜装置により青色を発する発光層６６Ｂを成膜する。発光層６６Ｒ、６６Ｇ、６６Ｂの成膜が完了した後、第５の成膜装置により表示領域６１の全体に電子輸送層６７を成膜する。電子輸送層６５は、３色の発光層６６Ｒ、６６Ｇ、６６Ｂに共通の層として形成される。
【００７７】
電子輸送層６５までが形成された基板をスパッタリング装置に移動し、第２電極６８を成膜し、その後プラズマＣＶＤ装置に移動して保護層７０を成膜して、有機ＥＬ表示装置６０が完成する。
【００７８】
絶縁層６９がパターニングされた基板６３を成膜装置に搬入してから保護層７０の成膜が完了するまでは、水分や酸素を含む雰囲気にさらしてしまうと、有機ＥＬ材料からなる発光層が水分や酸素によって劣化してしまうおそれがある。従って、本例において、成膜装置間の基板の搬入搬出は、真空雰囲気または不活性ガス雰囲気の下で行われる。
【００７９】
このようにして得られた有機ＥＬ表示装置は、発光素子ごとに発光層が精度よく形成される。従って、上記製造方法を用いれば、発光層の位置ずれに起因する有機ＥＬ表示装置の不良の発生を抑制することができる。本実施形態に係る成膜方法または電子デバイスの製造方法によれば、蒸着材料の加熱が適切に制御されるため、良好な蒸着が可能となる。
【符号の説明】
【００８０】
２４２：蒸着材料、２４４：容器、２４５：加熱装置、２４６：ヒータ、２４６ａ：上部ヒータ、２４６ｂ：下部ヒータ、２４６ｂ１：第１部分、２４６ｂ２：第２部分、２７０：制御部
【図１】
2020193367.tif 000003
【図２】
2020193367.tif 000004
【図３】
2020193367.tif 000005
【図４】
2020193367.tif 000006
【図５】
2020193367.tif 000007
【図６】
2020193367.tif 000008
【図７】
2020193367.tif 000009
【図８】
2020193367.tif 000010
【図９】
2020193367.tif 000011
【図１０】
2020193367.tif 000012